(57)【要約】      （修正有）【課題】制御機能が追加及び／又は変更された後において、車両用制御システムの制御に異常が生じた場合であっても、正常動作可能な状態に復帰させることが可能な車両用制御システムを提供する。【解決手段】車両用制御システム１００における制御に異常が生じた場合、Ｂ／ＵＥＣＵ４０に保存された初期制御情報を用いて、マスタドメイン制御部１１〜１４における制御情報を初期化する。そして、初期化された制御情報を、マスタドメイン制御部１１〜１４が保持する、追加及び／又は変更された制御機能の制御情報に関する追加変更情報を用いて更新する。これにより、車両用制御システム１００を正常動作可能な状態に確実に復帰させることができる。【選択図】図１
2018020609.tif 000002
【特許請求の範囲】
【請求項１】
車両に搭載された複数の車載機器を制御する車両用制御システム（１００）であって、
前記車両用制御システムは、複数の前記車載機器を制御するための機器制御部（１６〜１９、２６〜２９、３６〜３９）と、保有している制御情報に基づいて、前記機器制御部による制御を統括するドメイン制御部（１１〜１４、２１〜２４、３１〜３４）とに階層化されており、
初期状態での前記車両用制御システムにおける、前記機器制御部による制御を統括するために必要となる初期制御情報を記憶する記憶部（４１）を、前記機器制御部及び前記ドメイン制御部が構築されるＥＣＵ（１０、２０、３０）とは別のバックアップＥＣＵ（４０）に設け、
前記車両用制御システムにおいて、制御機能の追加及び／又は変更を可能とすべく、前記ドメイン制御部は、追加及び／又は変更される制御機能に関する追加変更情報を取得し、その追加変更情報に基づき、保有している制御情報を更新するものであり、
前記車両用制御システムにおける制御に異常が生じた場合に、前記バックアップＥＣＵの前記記憶部に記憶された初期制御情報を用いて、前記ドメイン制御部における制御情報を初期化する初期化部（Ｓ４６０、Ｓ４７０）を備える車両用制御システム。
【請求項２】
前記初期化部は、前記バックアップＥＣＵに設けられている請求項１に記載の車両用制御システム。
【請求項３】
追加及び／又は変更された制御機能の実行時に、前記車両用制御システムにおける制御に異常が生じた場合、前記ドメイン制御部は、異常発生の原因となった追加及び／又は変更された制御機能を除く、制御機能に関する追加変更情報に基づいて、初期化された制御情報を更新する請求項１又は２に記載の車両用制御システム。
【請求項４】
前記ドメイン制御部は、前記追加変更情報に基づき、制御情報を更新するごとに、その更新情報を保存しておき、初期化された制御情報を更新する際には、保存された更新情報に基づいて、更新量の少ない順に制御情報の更新を実行する請求項１又は２に記載の車両用制御システム。
【請求項５】
前記ドメイン制御部は、前記追加変更情報に基づき、制御情報を更新するごとに、その更新情報を履歴として保存しておき、初期化された制御情報を更新する際には、保存された更新情報の履歴に基づき、当該履歴における順序とは異なる順序で、制御情報の更新を実行する請求項１又は２に記載の車両用制御システム。
【請求項６】
前記ドメイン制御部は、前記追加変更情報に基づき、制御情報を更新するごとに、その更新情報を履歴として保存しておき、初期化された制御情報を更新する際には、保存された更新情報の履歴に基づき、当該履歴における最後に更新された制御機能を除く、制御機能に関する追加変更情報に基づいて、制御情報の更新を実行する請求項１又は２に記載の車両用制御システム。
【請求項７】
前記ドメイン制御部が保有する制御情報には、前記機器制御部及び前記ドメイン制御部における制御機能に関する情報、前記車載機器に関する情報、及び制御に利用可能な装備に関する情報を含む構成情報と、前記構成情報に対応する、該当するドメインにおける複数の制御状態に関する情報、及びそれら複数の制御状態間の遷移に関する情報とを含む状態遷移情報とが含まれる請求項１乃至６のいずれかに記載の車両用制御システム。
【請求項８】
前記ドメイン制御部が保有する制御情報には、さらに、複数の前記制御状態の各々における、前記ドメイン制御部、前記機器制御部、及び前記車載機器への電力の配電に関する配電情報が含まれる請求項７に記載の車両用制御システム。
【請求項９】
前記車両用制御システムには、複数の前記ドメイン制御部が設けられており、
前記ドメイン制御部が保有する制御情報には、さらに、前記ドメイン制御部間、及び前記ドメイン制御部と前記機器制御部間で通信される通信データに関する情報が含まれる請求項７又は８に記載の車両用制御システム。
【請求項１０】
前記ドメイン制御部が保有する制御情報には、該当するドメインに属する車載機器を制御したときに、その制御が正常であるか、それとも異常が生じたかを判定するための判定情報が含まれる請求項７乃至９のいずれかに記載の車両用制御システム。
【請求項１１】
前記ドメイン制御部は、前記バックアップＥＣＵが異常となったときのために、非常時制御情報を保持しており、
前記初期化部によって、前記バックアップＥＣＵの前記記憶部に記憶された初期制御情報を用いた制御情報の初期化が実行できない場合、前記ドメイン制御部は、保持している非常時制御情報を用いて、前記機器制御部による制御を実行させ、前記車両のリンプホーム走行を可能とする請求項１乃至１０のいずれかに記載の車両用制御システム。
【請求項１２】
前記バックアップＥＣＵは、前記ドメイン制御部の故障が発生したとき、前記記憶部に記憶している初期制御情報を用いて、前記機器制御部に制御を実行させる請求項１乃至１０のいずれかに記載の車両用制御システム。
【請求項１３】
前記バックアップＥＣＵは、前記ドメイン制御部の故障が発生したとき、故障発生時に実行されていた制御に関する情報、及び故障発生時の車両運転状況を記憶して保持する故障情報記憶部を備える請求項１乃至１２のいずれかに記載の車両用制御システム。
【請求項１４】
前記車両用制御システムには、複数の前記ドメイン制御ＥＣＵが設けられており、
複数の前記ドメイン制御ＥＣＵの１つが、前記追加変更情報に基づき、制御情報を更新した際、自身の制御機能の一部を他の前記ドメイン制御部へ引き渡すことを決定し、他の前記ドメイン制御部との間で、制御機能の一部の引き渡し処理を行う場合に、前記バックアップＥＣＵは、引き渡し処理が予め定められた手順にて行われたかを監視するとともに、引き渡し処理の異常を判定した場合、前記初期制御情報を用いて、各々の前記ドメイン制御部の制御機能の分担を初期化させる請求項１乃至１３のいずれかに記載の車両用制御システム。
【発明の詳細な説明】
【技術分野】
【０００１】
本発明は、車両に搭載された複数の車載機器を制御する車両用制御システムに関する。
【背景技術】
【０００２】
例えば、特許文献１には、車載機全体を管理するマスタユニットと、マスタユニットに接続され担当する処理を実行するスレーブユニットとを備えた車載コンピュータシステムにおいて、安全にコンピュータプログラムを更新するための技術が開示されている。
【０００３】
具体的には、マスタユニットは、車外のネットワークへの接続手段を通じて、それぞれのコンピュータプログラムを更新するための更新プログラムを取得し、不揮発性の記憶手段に保存する。そして、マスタユニットは、スレーブユニットに対して、スレーブ制御手段の階層構造において、下層のスレーブ制御手段で実行されるコンピュータプログラムを優先して更新し、その更新後に、下層の上位の階層のスレーブ制御手段で実行されるコンピュータプログラムを更新する。更新対象のスレーブユニットのコンピュータプログラムが更新された後、マスタユニットは、マスタ制御手段の階層構造において、下層のマスタ制御手段で実行されるコンピュータプログラムを優先して更新し、その更新後に、下層の上位の階層のマスタ制御手段で実行されるコンピュータプログラムを更新する。
【先行技術文献】
【特許文献】
【０００４】
【特許文献１】特開２０１０−１９５１１１号公報
【発明の概要】
【発明が解決しようとする課題】
【０００５】
上述した特許文献１では、更新プログラムを一旦、不揮発性メモリに保存しておくことで、例えば、プログラムの更新中に電源が遮断されるなどして、プログラムの更新が中断された場合でも、更新処理を再実行することを可能としている。
【０００６】
しかしながら、車載コンピュータシステムにおける障害は、例えば、更新されたプログラム自身の不具合によって、あるいは更新されたプログラムにより更新対象外の既存のプログラムの実行が阻害されるなどして、コンピュータプログラムの更新後において、プログラムの実行時に発生する可能性も否定できない。
【０００７】
本発明は、上述した点に鑑みてなされたものであり、制御機能が追加及び／又は変更された後において、車両用制御システムの制御に異常が生じた場合であっても、車両用制御システムを正常動作可能な状態に復帰させることが可能な車両用制御システムを提供することを目的とする。
【課題を解決するための手段】
【０００８】
上述した目的を達成するために、本発明による、車両に搭載された複数の車載機器を制御する車両用制御システム（１００）は、
複数の前記車載機器を制御するための機器制御部（１６〜１９、２６〜２９、３６〜３９）と、保有している制御情報に基づいて、機器制御部による制御を統括するドメイン制御部（１１〜１４、２１〜２４、３１〜３４）とに階層化されており、
初期状態での車両用制御システムにおける、機器制御部による制御を統括するために必要となる初期制御情報を記憶する記憶部（４１）を、機器制御部及びドメイン制御部が構築されるＥＣＵ（１０、２０、３０）とは別のバックアップＥＣＵ（４０）に設け、
車両用制御システムにおいて、制御機能の追加及び／又は変更を可能とすべく、ドメイン制御部は、追加及び／又は変更される制御機能に関する追加変更情報を取得し、その追加変更情報に基づき、保有している制御情報を更新するものであり、
車両用制御システムにおける制御に異常が生じた場合に、バックアップＥＣＵの記憶部に記憶された初期制御情報を用いて、ドメイン制御部における制御情報を初期化する初期化部（Ｓ４６０、Ｓ４７０）を備える。
【０００９】
本発明による車両用制御システムは、上述した構成を備えているため、車両用制御システムにおける制御になんらかの異常が生じた場合には、初期化部により、機器制御部及びドメイン制御部が構築されたＥＣＵとは別のバックアップＥＣＵの記憶部に記憶された初期制御情報を用いて、ドメイン制御部における制御情報を初期化することができる。このため、ドメイン制御部による制御情報を、初期状態での車両用制御システムに対応した制御情報に確実に戻すことができる。そして、この状態から、例えば、異常発生の原因となった可能性が高い、追加及び又は変更された制御機能を除く制御機能に関して制御情報を更新することも可能となる。従って、本発明によれば、車両制御システムを正常動作可能な状態に確実に復帰させることができる。
【００１０】
上記括弧内の参照番号は、本発明の理解を容易にすべく、後述する実施形態における具体的な構成との対応関係の一例を示すものにすぎず、なんら本発明の範囲を制限することを意図したものではない。
【００１１】
また、上述した特徴以外の、特許請求の範囲の各請求項に記載した技術的特徴に関しては、後述する実施形態の説明及び添付図面から明らかになる。
【図面の簡単な説明】
【００１２】
【図１】車両用制御システムの全体構成の一例を示したブロック図である。
【図２】車両を、フロントエリア、ミドルエリア、及びリヤエリアの３つのエリアに分割した例を示す図である。
【図３】機器制御部の各エリアへの配置例を説明するための図である。
【図４】各ドメインにおけるマスタドメイン制御部の制御処理の一例を示すフローチャートである。
【図５】監視ドメインの制御情報に関して、Ｂ／ＵＥＣＵ、マスタドメイン制御部、及びローカルドメイン制御部が、それぞれ、どのような情報を保有し、さらに、制御機能の追加や変更時にどのような処理を実行するかの一例を示した図である。
【図６】制御機能が追加及び／又は変更された後において、車両用制御システムにおける制御に異常が生じた場合に、車両用制御システムを正常動作可能な状態に復帰させるため、Ｂ／ＵＥＣＵにて実行される処理を示すフローチャートである。
【図７】制御機能が追加及び／又は変更された後において、車両用制御システムにおける制御に異常が生じた場合に、車両用制御システムを正常動作可能な状態に復帰させるため、マスタＥＣＵにおいて実行される処理を示すフローチャートである。
【図８】マスタＥＣＵの各ドメイン制御部において実行される、構成情報の初期化及び追加／変更構成情報との結合等の処理を示すフローチャートである。
【図９】マスタＥＣＵの各ドメイン制御部において実行される、状態遷移情報の初期化及び追加／変更構成情報との結合等の処理を示すフローチャートである。
【図１０】状態遷移情報の更新により、制御状態が追加された前後の制御状態の遷移の一例を概念的に示した図である。
【図１１】マスタＥＣＵ、エリアＥＣＵ、及びＢ／ＵＥＣＵを起動するとともに、その起動時に異常が生じた場合の安全処理を示すフローチャートである。
【図１２】図１１のフローチャートの異常時処理の詳細を示すフローチャートである。
【図１３】マスタドメイン制御部とローカルドメイン制御部との間で行われる、制御機能の一部の引渡し処理について説明するための図である。
【発明を実施するための形態】
【００１３】
本発明に係る車両用制御システムの実施形態を、図面を参照しつつ説明する。以下に説明する実施形態では、車両の走行駆動源として、エンジンと電動モータ（モータジェネレータ）とを有するハイブリッド車両に搭載される各種の車載機器に対して、本発明による車両用制御システムを適用した例について説明する。しかしながら、本発明による車両用制御システムは、ハイブリッド車両における車載機器の制御に適用されるばかりでなく、エンジンのみを有する通常の車両や、電動モータのみを有する電動車両の各種の車載機器の制御に適用されても良い。また、ドメイン分けに関して説明しているが、このドメイン分けは制御システムの制御構造に密接に関係するため、必ずしも以下に説明する例と同一のドメイン分けを行う必要なく、適宜、最適なドメイン分けを行えば良い。
【００１４】
図１は、上述したハイブリッド車両における各種の車載機器のための車両用制御システム１００の全体構成の一例をブロック図として表したものである。本実施形態に係る車両用制御システム１００は、制御論理構造として、制御対象とする複数の車載機器のそれぞれの機能（役割）に応じて、複数のドメインに区分けされている。それら複数のドメインにおいて、それぞれ、車載機器を制御するための機器制御部１６〜１９、２６〜２９、３６〜３９と、それら機器制御部による制御を統括するドメイン制御部１１〜１４、２１〜２４，３１〜３４とに階層化されている。
【００１５】
本実施形態に係る車両用制御システム１００では、詳しくは後述するが、ドメイン制御部は、ドメイン全体の制御目標を算出するとともに、そのドメイン全体の制御目標を達成するための各エリアのエリア制御目標を算出するマスタドメイン制御部１１〜１４と、与えられたエリア制御目標を達成するように、対応する機器制御部１６〜１９、２６〜２９、３６〜３９の制御目標を算出する、各エリアに配置されたローカルドメイン制御部２１〜２４、３１〜３４とを有している。これらの各ドメイン制御部は、相互に通信可能に接続されている。さらに、本実施形態の車両用制御システム１００では、複数のマスタドメイン制御部１１〜１４にて協調制御を行わせたり、各マスタドメイン制御部１１〜１４による制御が競合する場合に、競合する制御を調停したりする統合制御部１５も設けられている。
【００１６】
具体的なドメイン分けの例として、図１に示す例では、車両用制御システム１００は、シャシドメイン、パワートレインドメイン、ボデードメイン、監視ドメインの４つのドメインに区分けされている。このように定めたドメインにより、ハイブリッド車両に搭載された多数の車載機器は、機能面で類似、関連するもの同士がグループ化される。
【００１７】
例えば、シャシドメインには、各車輪に設けられた油圧ブレーキを作動させるため、油圧ポンプや電磁バルブなどの油圧ブレーキ装置の構成部品を駆動するブレーキアクチュエータ、各車輪に設けられた減衰力調整可能なダンパ、各車輪のタイヤに設けられ、空気圧の検知信号を無線通信する空気圧センサ、電動パワーステアリング、エンジンや電動モータの回転を適切な変速比で変速して駆動軸に伝えるトランスミッション、運転者によるブレーキペダルの踏力を増幅してマスタシリンダに伝えるための負圧を発生する負圧ポンプなどの車載機器が属する。
【００１８】
そして、シャシドメインには、上述した車載機器を制御するためのシャシ機器制御部１６、２６、３６が設けられている。例えば、シャシドメインには、シャシ機器制御部１６、２６、３６として、ブレーキアクチュエータ制御部、ダンパ制御部、空気圧検知制御部、電動パワーステアリング制御部、トランスミッション制御部、負圧ポンプ制御部などが設けられる。なお、油圧ブレーキ装置は、前輪側と後輪側とで、それぞれ独立して、油圧を調整できるように構成されており、ブレーキアクチュエータは、左右前輪のブレーキ油圧を個別に調節可能な前輪側ブレーキアクチュエータと、左右後輪のブレーキ油圧を個別に調節可能な後輪側ブレーキアクチュエータとに分けられている。このため、ブレーキアクチュエータ制御部としても、前輪側ブレーキアクチュエータ制御部と、後輪側ブレーキアクチュエータ制御部とが設けられる。
【００１９】
これらのシャシ機器制御部１６、２６、３６は、原則として、シャシドメインに属する車載機器に対応して個別に設けられるが、複数の車載機器に対して共通のシャシ機器制御部を設けることも可能である。さらに、シャシ機器制御部１６、２６、３６は、それぞれ電子制御装置（ＥＣＵ）によって構成される。その際、それぞれのシャシ機器制御部１６、２６、３６を、個別のＥＣＵによって構成しても良いし、複数のシャシ機器制御部１６、２６、３６を共通のＥＣＵによって構成しても良い。さらに、機器制御部を構成するＥＣＵを、他のドメインの機器制御部と共用しても良い。
【００２０】
そして、シャシ機器制御部１６、２６、３６は、対応するシャシドメイン制御部１１、２１、３１から与えられた制御目標に従って、対応する車載機器を制御する。
【００２１】
シャシドメイン制御部１１、２１、３１は、マスタドメイン制御部としてのマスタシャシドメイン制御部１１と、ローカルドメイン制御部としてのローカルシャシドメイン制御部２１、３１とから構成されている。マスタシャシドメイン制御部１１及びローカルシャシドメイン制御部２１，３１は、後述するように、車両を３つのエリアに区画した際、３つのエリアに分散して配置される。マスタシャシドメイン制御部１１は、マスタドメイン制御部としての機能と、ローカルドメイン制御部としての機能とを兼ね備えたものである。
【００２２】
マスタシャシドメイン制御部１１は、マスタドメイン制御部として、車両の状態や、運転者の操作状態に応じてシャシドメイン全体の制御目標を定め、さらに、ドメイン全体の制御目標に基づき、各エリアが実現すべきエリア制御目標を定める。マスタシャシドメイン制御部１１によって定められたエリア制御目標は、ローカルシャシドメイン制御部２１、３１に与えられる。ローカルシャシドメイン制御部２１、３１は、与えられたエリア制御目標に基づき、シャシ機器制御部２６、３６を制御するための制御目標を算出して、シャシ機器制御部２６、３６に出力する。この際、マスタシャシドメイン制御部１１も、ローカルドメイン制御部として、自身が属するエリアにおけるエリア制御目標に基づき、シャシ機器制御部１６を制御するための制御目標を算出し、シャシ機器制御部１６に出力する。
【００２３】
パワートレインドメインには、例えば、車両を加速させたり、減速させたり、あるいは速度を一定に保つための動力を車両に作用させる役割を担うエンジン及びモータジェネレータ（ＭＧ）、エンジン及び／又はＭＧが発生したトルク（駆動力）を４輪各輪に配分する役割を担う駆動力配分機構、ＭＧに駆動電力を供給したり、ＭＧが発電した電力を蓄電したりする役割を担う高圧バッテリ、低電圧バッテリの充電のために高圧バッテリが発生する高電圧を降圧して低電圧バッテリに供給するＤＣＤＣコンバータ、外部充電設備により高圧バッテリを充電するための充電器インターフェース（ＩＦ）などの車載機器が属する。さらに、パワートレインドメインには、低圧バッテリや、この低圧バッテリから各種の車載機器への給電のオン、オフを切り換えるジャンクションボックス（ＪＢ）などの車載機器が属しても良い。
【００２４】
なお、低圧バッテリは、車両のエンジンルーム内に設置される主低圧バッテリ、車両のラゲッジスペース（又はトランクルーム）の床下などに設置される副低圧バッテリなど複数のバッテリを含む。また、ジャンクションボックスは、エンジンルール内及びその付近に搭載された車載機器への給電のオン、オフを切り換えるためのフロントジャンクションボックス（ＪＢ）と、主として車室内及びその付近に搭載された車載機器への給電のオン、オフを切り換えるセンターＪＢと、ラゲッジスペース内又はその付近に搭載された車載機器への給電のオン、オフを切り換えるリヤＪＢとを含む。これらのジャンクションボックスは、いずれも、各車載機器へ給電するための電源として、主低圧バッテリと副低圧バッテリとのいずれかを選択することができるように構成されている。
【００２５】
パワートレインドメインには、上述した車載機器を制御するためのパワートレイン機器制御部１７、２７、３７が設けられている。例えば、パワートレインドメインには、パワートレイン機器制御部１７、２７、３７として、エンジン制御部、ＭＧ制御部、駆動力配分機構制御部、高圧バッテリ制御部、ＤＣＤＣコンバータ制御部、充電器ＩＦ制御部、主低圧バッテリ制御部、副低圧バッテリ制御部、フロントＪＢ制御部、センターＪＢ制御部、リヤＪＢ制御部などが設けられる。そして、パワートレイン機器制御部１７、２７、３７は、対応するパワートレインドメイン制御部１２、２２、３２から与えられた制御目標に従って、対応する車載機器を制御する。
【００２６】
パワートレインドメイン制御部１２、２２、３２は、マスタドメイン制御部としてのマスタパワートレインドメイン制御部１２と、ローカルドメイン制御部としてのローカルパワートレインドメイン制御部２２、３２とから構成されている。マスタパワートレインドメイン制御部１２及びローカルパワートレインドメイン制御部２２、３２は、車両を３つのエリアに区画した際、３つのエリアに分散して配置される。マスタパワートレインドメイン制御部１２は、マスタドメイン制御部としての機能と、ローカルドメイン制御部としての機能とを兼ね備えている。マスタパワートレインドメイン制御部２２は、マスタドメイン制御部として、パワートレインドメイン全体の制御目標を定め、さらに、ドメイン全体の制御目標に基づき、各エリアが実現すべきエリア制御目標を定める。マスタパワートレインドメイン制御部１２によって定められたエリア制御目標は、各ローカルパワートレインドメイン制御部２２、３２に与えられる。
【００２７】
ボデードメインには、例えば、ヘッドライトやポジションランプなどの前方灯火、歩行者等を保護するためにボンネットに設けられた外部エアバッグ、エンジンルームへの外気導入孔を開閉するシャッター、ドアのロック、アンロックを切り換えるモータや窓を開閉するモータ、シートポジションを調節するモータ、車室内の空調を行うエアコン、車両の乗員を保護するための乗員エアバッグ、リヤゲートを自動開閉するためのモータ、ブレーキランプなどの後方灯火などの車載機器が属する。従って、このボデードメインには、ボデー機器制御部１８、２８、３８として、前方灯火制御部、外部エアバッグ制御部、シャッター制御部、ドア制御部、シート制御部、エアコン制御部、乗員エアバッグ制御部、リヤゲート制御部、後方灯火制御部などが設けられる。そして、ボデー機器制御部１８、２８、３８は、対応するボデードメイン制御部１３、２３、３３から与えられた制御目標に従って、対応する車載機器を制御する。
【００２８】
ボデードメイン制御部１３、２３、３３は、マスタドメイン制御部としてのマスタボデードメイン制御部１３と、ローカルドメイン制御部としてのローカルボデードメイン制御部２３、３３とから構成されている。マスタボデードメイン制御部１３及びローカルボデードメイン制御部２３、３３は、車両を３つのエリアに区画した際、３つのエリアに分散して配置される。マスタボデードメイン制御部１３は、マスタドメイン制御部としての機能と、ローカルドメイン制御部としての機能とを兼ね備えている。マスタボデードメイン制御部１３は、マスタドメイン制御部として、ボデードメイン全体の制御目標を定め、さらに、ドメイン全体の制御目標に基づき、各エリアが実現すべきエリア制御目標を定める。マスタボデードメイン制御部１３によって定められたエリア制御目標は、各ローカルボデードメイン制御部２３、３３に与えられる。
【００２９】
監視ドメインには、例えば、車両前方の障害物を検出するためにフロントグリルやフロントバンパに設置されるレーザレーダ及びミリ波レーダ、外気温度を検出する外気温度センサ、車両後方の映像を撮影するためにリアガラスの室内側に設置されるリヤカメラ、車両後方の障害物を検出するためにリヤバンパなどに設置されるミリ波レーダ、乗員が保持する携帯型キーが正規のものであるか否かを認証するために、携帯型キーと通信する通信装置などの車載機器が属する。従って、監視ドメインには、監視機器制御部１９、２９、３９として、レーザレーダ制御部、フロントミリ波レーダ制御部、温度センサ制御部、リヤカメラ制御部、リヤミリ波レーダ制御部、通信装置制御部（認証装置）などが設けられる。そして、監視機器制御部１９、２９、３９は、対応する監視ドメイン制御部１４、２４、３４から与えられた制御目標に従って、対応する車載機器を制御する。
【００３０】
監視ドメイン制御部１４、２４、３４は、マスタドメイン制御部としてのマスタ監視ドメイン制御部１４と、ローカルドメイン制御部としてのローカル監視ドメイン制御部２４、３４とから構成されている。マスタ監視ドメイン制御部１４及びローカル監視ドメイン制御部２４、３４は、車両を３つのエリアに区画した際、３つのエリアに分散して配置される。マスタ監視ドメイン制御部１４は、マスタドメイン制御部としての機能と、ローカルドメイン制御部としての機能とを兼ね備えている。マスタ監視ドメイン制御部１４は、マスタドメイン制御部として、監視ドメイン全体の制御目標を定め、さらに、ドメイン全体の制御目標に基づき、各エリアが実現すべきエリア制御目標を定める。マスタ監視ドメイン制御部１４によって定められたエリア制御目標は、各ローカル監視ドメイン制御部２４、３４に与えられる。
【００３１】
次に、上述した車載機器、機器制御部１６〜１９，２６〜２９，３６〜３９及びドメイン制御部１１〜１４、２１〜２４、３１〜３４の車両への配置について説明する。
【００３２】
上述した各種の車載機器は、各車載機器に求められる役割や搭載上のスペースの関係から、車両の前部、中央部、後部などの各部に配置される。このため、ドメイン制御部１１〜１４、２１〜２４、３１〜３４を車両の所定の場所に集中的に配置すると、全体として、各車載機器までの通信配線の長さが長くなってしまい、車両内における取り回しが煩雑になってしまうことが懸念される。
【００３３】
そこで、本実施形態による車両用制御システム１００では、車両を少なくとも２つのエリアに分割する。例えば、図２には、車両を、フロントエリア５０、ミドルエリア６０、及びリヤエリア７０の３つのエリアに分割した例を示している。ただし、分割数は、図２の例のように３つに限定される訳ではない。例えば、車両を前方エリアと後方エリアのように２つのエリアに分割しても良い。また、前方右側エリア、前方左側エリア、後方右側エリア、後方左側エリアのように、４つのエリアに分割しても良い。４つのエリアに分割する場合、図２に示す分割例において、フロントエリアをさらに左右２つのエリアに分割しても良い。さらに、車両のサイズに応じて、５つのエリアや６つのエリアに分割しても良い。
【００３４】
このようにして、車両を少なくとも２つのエリアに分割することにより、複数の車載機器は、その配置場所に応じて、分割されたいずれかのエリアに振り分けられる。その車載機器の振り分けに応じて、該当する車載機器を制御する機器制御部１６〜１９、２６〜２９、３６〜３９も同じエリアに属するように分散して配置される。さらに、各ドメイン制御部１１〜１４、２１〜２４、３１〜３４の構成要素である、マスタドメイン制御部１１〜１４、及びローカルドメイン制御部２１〜２４、３１〜３４も、制御目標を出力すべき対応する機器制御部１６〜１９、２６〜２９、３６〜３９と同じエリアに属するように分散して配置される。
【００３５】
この結果、関連するローカルドメイン制御部（ローカルドメイン制御部の機能を備えたマスタドメイン制御部含む）１１〜１４、２１〜２４、３１〜３４と、機器制御部１６〜１９、２６〜２９、３６〜３９と、車載機器とを同じエリアに配置することができる。従って、配線数の多いローカルドメイン制御部−機器制御部−車載機器を接続する通信配線の長さを短縮することが可能となる。その結果、車両における通信配線の取り回しの煩雑さを軽減することができる。
【００３６】
図１に示す例では、各ドメインのマスタドメイン制御部１１〜１４は、車両のミドルエリア６０に配置された共通のマスタＥＣＵ１０内に構築され、相互に通信が可能に構成されている。さらに、マスタＥＣＵ１０内には、統合制御部１５も構築され、各マスタドメイン制御部１１〜１４と通信可能に構成されている。
【００３７】
また、各ドメインのローカルドメイン制御部２１〜２４は、車両のフロントエリア５０に配置された共通のフロントエリアＥＣＵ２０内に構築され、相互に通信が可能に構成されている。同様に、各ドメインのローカルドメイン制御部３１〜３４は、車両のリヤエリア７０に配置された共通のリヤエリアＥＣＵ３０内に構築され、相互に通信が可能に構成されている。
【００３８】
図３に、機器制御部１６〜１９、２６〜２９、３６〜３９の各エリア５０、６０、７０への配置例を示す。
【００３９】
図３に示す例では、シャシドメインにおいて、フロントエリア５０に、機器制御部２６として、前輪側ブレーキアクチュエータ制御部、左右前輪のダンパの減衰力を制御する前輪ダンパ制御部、左右前輪の空気圧の検知を制御する前輪空気圧検知制御部、電動パワーステアリング制御部、トランスミッション制御部などが配置されている。
【００４０】
シャシドメインのミドルエリア６０には、機器制御部１６として、負圧ポンプ制御部が配置されている。また、シャシドメインのリヤエリア７０には、機器制御部３６として、後輪側ブレーキアクチュエータ制御部、後輪ダンパ制御部、後輪空気圧検知制御部が配置されている。
【００４１】
パワートレインドメインにおいては、フロントエリア５０に、機器制御部２７として、エンジン制御部、ＭＧ制御部、主低圧バッテリ制御部、及びフロントＪＢ制御部が配置されている。ミドルエリア６０には、機器制御部１７として、駆動力配分機構制御部及びセンターＪＢ制御部が配置されている。また、リヤエリア７０には、機器制御部３７として、高圧バッテリ制御部、ＤＣＤＣコンバータ制御部、充電器ＩＦ制御部、副低圧バッテリ制御部、及びリヤＪＢ制御部が配置されている。
【００４２】
ボデードメインでは、フロントエリア５０に、機器制御部２８として、前方灯火制御部、前方外部エアバッグ制御部、及びシャッター制御部が配置されている。ミドルエリア６０には、機器制御部１８として、ドア制御部、シート制御部、エアコン制御部、乗員エアバッグ制御部が配置されている。また、リヤエリア７０には、機器制御部３８として、リヤゲート制御部、後方灯火制御部、後方外部エアバッグ制御部が配置されている。
【００４３】
監視ドメインでは、フロントエリア５０に、機器制御部２９として、レーザレーダ制御部、フロントミリ波レーダ制御部が配置されている。ミドルエリア６０には、機器制御部１９として、温度センサ制御部、通信装置制御部が配置されている。リヤエリア７０には、機器制御部３９として、リヤカメラ制御部、リヤミリ波レーダ制御部が配置されている。
【００４４】
次に、図４のフローチャートを参照しつつ、各ドメインにおけるマスタドメイン制御部１１〜１４の制御処理の一例について説明する。この図４のフローチャートに示す処理は、所定時間毎に繰り返し実行される。
【００４５】
図４のフローチャートのステップＳ１００において、マスタドメイン制御部は、各種のセンサや操作スイッチからの信号に基づき、車両の状態、乗員（運転者）による各種の操作機器の操作状態を検出する。続くステップＳ１１０において、ステップＳ１００での検出結果に基づいて、ドメインの制御目標を算出する。なお、各マスタドメイン制御部の上位に設けられた統合制御部１５において、すべてのドメインに対する制御目標を算出し、さらに、そのすべてのドメインに対する制御目標を達成するための各ドメインの制御目標を算出して、各マスタドメイン制御部に提供するように構成しても良い。
【００４６】
ステップＳ１２０では、ステップＳ１１０で算出したドメインの制御目標に基づき、各エリアで実行（分担）すべき制御を示すエリア制御目標を算出する。これにより、各エリアにローカルドメイン制御部を分散配置した場合であっても、同じドメインの各エリアにおける制御の全体的な整合を図ることが可能になる。
【００４７】
この際、マスタドメイン制御部は、必要に応じて、他のマスタドメイン制御部へも、制御目標を送信する。例えば、車両の運転者がブレーキペダルを操作した場合、パワートレインドメインのマスタパワートレインドメイン制御部１２は、ブレーキペダル操作に応じた制動トルクを発生させるべく、高電圧バッテリの充電可能量を考慮しつつ、油圧ブレーキと回生ブレーキとのそれぞれの目標ブレーキトルクを算出する。そして、マスタパワートレインドメイン制御部１２は、算出した油圧ブレーキの目標ブレーキトルクをシャシドメインのマスタシャシドメイン制御部１１へ送信する。すると、マスタシャシドメイン制御部１１は、受信した目標ブレーキトルクを発生させるための制御指示を含むエリア制御目標を算出する。
【００４８】
ステップＳ１３０では、車載電源である主低電圧バッテリや副低電圧バッテリの蓄電量（ＳＯＣ）に応じて、自身のドメインにて使用可能な電力量を算出する。具体的には、例えば、車載電源の蓄電量（ＳＯＣ）に、ドメイン毎に定められた所定の比率を乗じることにより、自身のドメインにて使用可能な電力量を算出する。その所定の比率は、車両の状況などに応じて変化させても良い。その際、車両の状況は、例えば、停止、発進、加速、一定走行、減速、停車などに区分けすることができる。それぞれの状況において、各ドメインにおける制御内容が変化したり、制御の実行、停止が切り換わったりするためである。また、各ドメインにて使用可能な電力量を各マスタドメイン制御部にて算出するのではなく、上述した統合制御部にて算出し、その算出結果を各ドメインのマスタドメイン制御部に通知するようにしても良い。
【００４９】
ステップＳ１４０では、マスタドメイン制御部は、自身のドメインにて使用可能な電力量に基づいて、各エリアに分配する分配電力量を算出する。この分配電力量の算出は、例えば、自身のドメインにて使用可能な電力量に、エリア毎に定められた所定の比率を乗じることにより、各エリアの分配電力量を算出することができる。その所定の比率は、車両の状況や、各エリアにおける制御の実行の有無などに応じて変化させても良い。
【００５０】
ステップＳ１５０では、マスタドメイン制御部は、ステップＳ１２０において算出したエリア制御目標、及びステップＳ１４０において算出した各エリアの分配電力量を、各エリアのローカルドメイン制御部へ送信する。
【００５１】
ここで、マスタドメイン制御部は、保有している制御情報に基づき、上述した制御処理を実行する。マスタドメイン制御部が保有する制御情報には、自身のドメインに属するドメイン制御部及び機器制御部が保有する制御機能に関する情報、車載機器に関する情報、センサ等の装備に関する情報などを含む構成情報が含まれる。なお、マスタドメイン制御部は、他のドメインとの協調制御を行う場合には、事前に、他のドメインのマスタドメイン制御部に、協調制御を行うことが可能な構成を備えているかを問合せる。この際、他のドメインのマスタ制御部は、自身が保有する制御情報に基づき、協調制御を行うことが可能な構成を備えているか否かを確認し、その確認結果を回答する。
【００５２】
ドメイン制御部が保有する制御機能としては、例えば、車両を一定速度で走行させるいわゆるオートクルーズ機能、限られた速度範囲で先行車両に追従するように走行させるいわゆるアダプテイブクルーズ機能、もしくは、全車速で先行車への追従機能を備えた全車速追従機能付きクルーズ機能などが挙げられる。また、機器制御部が保有する制御機能としては、例えば、モータ単独での車両走行機能や、ジェネレータによる回生機能などが挙げられる。車載機器に関する情報としては、その車載機器の種類や性能を示す情報が挙げられる。装備に関する情報としては、ドメイン制御部や機器制御部が制御機能を実行する上で、利用可能なセンサ、スイッチ、カメラなどの装備を示す情報が挙げられる。
【００５３】
また、マスタドメイン制御部が保有する制御情報には、上述した構成情報に対応する、該当するドメインにおける複数の制御状態に関する情報、及びそれら複数の制御状態間の遷移に関する情報を含む状態遷移情報が含まれる。例えば、パワートレインドメイン制御部１２、２２、３２は、車両における動力を制御するものであり、その制御状態として、発進、加速、定常走行、減速（回生）、及び停止などの状態を取る。また、複数の制御状態間の遷移に関する情報としては、各状態からの遷移可能な状態及びその際の遷移条件などが含まれる。なお、制御状態が構成情報に対応するとの意味は、例えば、車載機器としてジェネレータを備えていない場合、減速（回生）との状態をとり得ないためである。
【００５４】
さらに、マスタドメイン制御部が保有する制御情報には、上述した複数の制御状態の各々における、ドメイン制御部、機器制御部、及び車載機器への電力の配電に関する配電情報が含まれる。制御状態に応じて、電力が必要となる制御部や車載機器が変化したり、供給すべき電力量も変化したりするためである。
【００５５】
また、マスタドメイン制御部が保有する制御情報には、ドメイン制御部間、及びドメイン制御部と機器制御部間で通信される通信データに関する通信情報も含まれる。この通信情報の具体例として、例えば、ドメイン制御部間、及びドメイン制御部と機器制御部間で通信を行う際に使用される通信パケットの定義情報、すなわち、通信パケットに含まれるデータの種類やデータの長さなどの定義情報と、送受信先を示す情報などを挙げることができる。
【００５６】
また、マスタドメイン制御部が保有する制御情報には、そのドメインに属する車載機器を制御したときに、その制御が正常であるか、それとも異常が生じたかを判定するための判定情報も含まれる。例えば、パワートレインドメイン制御部１２、２２、３２が、エンジンやモータジェネレータを制御したり、シャシドメイン制御部１１、２１、３１へブレーキの協調制御を依頼したりした場合に、正常に制御が行われた場合には発生しえない車両の加減速度の上下限を判定情報とすることができる。
【００５７】
マスタドメイン制御部に加え、各エリアに配置されるローカルドメイン制御部も、上述した制御情報を保有している。従って、マスタドメイン制御部は、保有している制御情報に基づいて、各エリアの制御目標や分配電力量の算出を適確に行うことができる。さらに、ローカルドメイン制御部は、各エリアの制御目標に従って、対応する車載機器を適確に制御することができる。
【００５８】
具体的な制御の一例を説明すると、例えば、パワートレインドメイン制御部１２，２２、３２は、保有している制御情報に基づき、上述した各制御状態において、駆動する車載機器を選択し、その車載機器に対する制御目標を算出する。例えば発進の際には、駆動する車載機器としてモータジェネレータを選択し、運転者によるアクセルの踏込量に応じたモータトルクを算出する。また、定常走行の際には、駆動する車載機器としてエンジンを選択し、車速を維持するために必要なエンジントルクを算出する。
【００５９】
その際、マスタドメイン制御部１２は、制御状態の決定と、その制御状態におけるドメイン全体の目標（例えば、正トルク又は負トルクの発生など）を算出する。さらに、マスタドメイン制御部１２は、ドメイン全体の目標に基づき、各エリアの制御目標（例えば、エンジン発生トルク、モータ発生トルク、ジェネレータによる電力回生量など）を算出する。ローカルドメイン制御部２２、３２では、そのエリア目標を達成するべく、各機器制御部へ与える制御目標を算出する。このようにして、マスタドメイン制御部１２及びローカルドメイン制御部２２、３２は、保有している制御情報を利用して、適切な制御を行うことができる。
【００６０】
ところで、近年では、車両が市場に投入された後に、点検等のためにディーラーに持ち込まれたとき、ソフトウエアの更新により機器制御部の制御機能をより高度なものとしたり、新たな制御機能を持った機器制御部及びその制御機能を実現するための必要となる装備を追加したりすることがある。機器制御部や装備の追加が必要なく、単に、既存の機器制御部の制御機能の高度化だけを行う場合には、例えば、オンラインでソフトウエアを更新することも行われている。
【００６１】
このようなソフトウエアの更新や、機器制御部の追加などにより、制御機能の高度化のための変更や新規機能の追加が行われた場合、例えば、更新されたソフトウエアの不具合によって、あるいは更新されたソフトウエアにより既存のソフトウエアの実行が阻害されるなどして、実際に制御を実行する際になんらかの異常が発生する可能性も否定できない。
【００６２】
そこで、本実施形態による車両用制御システム１００では、制御機能が追加及び／又は変更された後において、車両用制御システム１００における制御に異常が生じた場合に、車両用制御システム１００を正常動作可能な状態に復帰させることができるようにした点に特徴がある。以下に、車両用制御システム１００を正常動作可能な状態に復帰させるための構成、及びその手順などに関して、図面を参照して詳細に説明する。
【００６３】
図１に示すように、本実施形態による車両用制御システム１００は、バップアップ（Ｂ／Ｕ）ＥＣＵ４０を備えている。Ｂ／ＵＥＣＵ４０は、機器制御部１６〜１９、２６〜２９、３６〜３９が構築されるＥＣＵ、及び各ドメイン制御部１１〜１４、２１〜２４、３１〜３４が構築されるＥＣＵ１０、２０、３０とは別に設けられたものである。ただし、例えば電源系や通信ＩＦなどを別個とした上で、他のＥＣＵ１０、２０、３０と合体させても良い。
【００６４】
Ｂ／ＵＥＣＵ４０は、通信線を介して、マスタＥＣＵ１０、フロントエリアＥＣＵ２０、及びリヤエリアＥＣＵ３０と接続されており、相互に通信可能となっている。また、Ｂ／ＵＥＣＵ４０は、不揮発性メモリ４１を有しており、その不揮発性メモリ４１に、各ドメインの制御情報をそれぞれ記憶している。このＢ／ＵＥＣＵ４０が保有する制御情報は、各々のドメインにて制御機能の変更や追加が行われても書き換えられることはなく、車両用制御システム１００の初期状態に対応した制御情報（初期制御情報）のまま維持される。
【００６５】
その一方で、制御機能の変更や追加が行われた場合、各ドメイン単位で、マスタドメイン制御部１１〜１４が、その追加及び／又は変更された制御機能に関する制御情報である追加変更情報を取得して、自身の不揮発性メモリに保存する。この追加変更情報は、追加あるいは置き換えられた機器制御部や、更新されたソフトウエアに情報として含ませておくことができる。この場合、マスタドメイン制御部１１〜１４は、追加変更情報を、追加あるいは置き換えられた機器制御部から取得したり、更新されたソフトウエアを持つ機器制御部あるいはドメイン制御部から取得したりすることができる。また、マスタドメイン制御部１１〜１４が追加変更情報を取得するために、追加変更を行った作業者が、外部装置を車両の通信ネットワークに接続して、その外部装置からマスタドメイン制御部へ追加変更情報を送信しても良い。
【００６６】
追加変更情報は、追加及び／又は変更された制御機能に関する制御情報と、その制御情報を、マスタドメイン制御部１１〜１４が保有する制御情報に組み込むための組込情報とからなる。例えば、組込情報は、制御機能が新規に追加されたものであるか、それとも既存の制御機能から変更されたものであるかを示すとともに、既存の制御機能から変更された場合には、その既存の制御機能を特定するための情報を有する。また、制御機能の追加、変更に伴い、新たな制御状態が設定される場合には、組込情報は、その新たな制御状態と、既存の制御状態との関係を示す情報を含む。
【００６７】
マスタドメイン制御部１１〜１４は、このような追加変更情報を取得すると、自身が保有している制御情報に、追加変更情報に含まれる制御情報を、組込情報を用いて組み込んで、両制御情報を結合する。例えば、マスタドメイン制御部１１〜１４は、制御情報が新規に追加されるものであるならば、現に保有している制御情報に追加制御情報を付加し、制御情報が既存の制御情報の一部を変更するものであるならば、変更制御情報により、既存の制御情報の一部を置き換える。この追加変更情報の組み込みを行うごとに、ドメイン制御部１１〜１４は、制御情報の更新情報を履歴として保存しておく。
【００６８】
これにより、制御機能の追加や変更が行われた場合であっても、マスタドメイン制御部１１〜１４は、その制御機能の追加、変更が反映された制御情報を保有することができ、その制御情報に基づいて、追加、変更された制御機能を含む各種機能を実行させることができる。
【００６９】
図５は、監視ドメインの制御情報に関して、Ｂ／ＵＥＣＵ４０、マスタドメイン制御部１４、ローカルドメイン制御部２４、３４が、それぞれ、どのような情報を保有し、さらに、制御機能の追加や変更時にどのような処理を実行するかの一例を示している。
【００７０】
図５に示すように、Ｂ／ＵＥＣＵ４０は、構成情報管理として、初期状態での車両用制御システム１００における、監視ドメインの構成情報を保持する。例えば、図５に示す例では、初期状態においては、マスタドメイン制御部１４は、先行車への追従機能を備えておらず、また、先行車を補足するための装備であるカメラも備えていない。Ｂ／ＵＥＣＵ４０は、状態遷移情報管理として、初期構成に対応した複数の制御状態、及び複数の制御状態間の遷移許可、不許可条件などからなる初期状態遷移情報を保持する。例えば、図５に示す例では、初期状態遷移情報として、制御状態間の遷移許可／不許可条件として用いられる、キースイッチと車速情報を保持している。
【００７１】
Ｂ／ＵＥＣＵ４０は、配電情報管理として、配電開始条件、配電終了条件、配電量などからなる初期構成に対する配電情報を保持する。Ｂ／ＵＥＣＵ４０は、通信情報管理として、初期構成において使用される通信データやその通信データの送受信先の通信情報を保持する。そして、Ｂ／ＵＥＣＵ４０は、安全情報管理として、初期構成において異常挙動推定のための判定値を安全情報として保持している。例えば、図５に示す例では、Ｂ／ＵＥＣＵ４０は、判定値として、車両の加減速度の上下限を保持している。
【００７２】
なお、Ｂ／ＵＥＣＵ４０は、安全情報管理の機能として、保持している判定情報を用いて、車両に異常な挙動が生じているかどうか、すなわち、車両用制御システム１００による制御に異常が発生しているかどうかを判定する機能、及び、マスタＥＣＵ１０の異常時に、マスタＥＣＵ１０に代わって、フロントエリアＥＣＵ２０及びリヤエリアＥＣＵ３０の各ローカルドメイン制御部２１〜２４、３１〜３４へ制御目標を与える代理制御機能を備えている。ただし、代理制御機能では、初期状態における初期制御情報に基づいて、各ローカルドメイン制御部２１〜２４、３１〜３４へ制御目標を与えることになるので、制御内容に制約を課し（例えば、車両の速度や加減速度に制限を設ける）、リンプホームモードでの退避走行が可能となる程度に留めることが好ましい。
【００７３】
マスタドメイン制御部１４は、上述したように、追加及び／又は変更された制御機能に関する制御情報と、その制御情報を、マスタドメイン制御部１１〜１４が保有する制御情報に組み込むための組込情報とを含む追加変更情報を保持する。実際のところ、追加変更情報は、図５に示すように、Ｂ／ＵＥＣＵ４０に保持される初期制御情報と同様に、構成情報、状態遷移情報、配電情報、通信情報、及び安全情報に細分化して、マスタドメイン制御部１４に保持される。以下、図５を参照して、詳しく説明する。
【００７４】
マスタドメイン制御部１４は、構成情報管理として、追加及び／又は変更された構成情報を保持する。さらに、この追加及び／又は変更された構成情報を、現に保有している構成情報に組み込むための組込情報も保持する。例えば、図５に示した例では、マスタドメイン制御部１４は、制御機能として先行車追従機能、装備として先行車を補足するためのカメラを含む構成情報を保持し、さらに、組込情報として、これらの制御機能、装備が新規に追加された旨の情報を保持している。そして、マスタドメイン制御部１４は、構成情報管理の一機能として、追加及び／又は変更された構成情報を、組込情報を用いて、保有している構成情報（初期構成情報）に組み込んで、両構成情報を結合する機能も備えている。さらに、マスタドメイン制御部１４は、構成情報管理の一機能として、Ｂ／ＵＥＣＵ４０が故障して、Ｂ／ＵＥＣＵ４０から初期構成情報が取得できない場合に備えて、初期構成情報よりも情報量を削った最小構成情報も保持している。
【００７５】
マスタドメイン制御部１４は、状態遷移情報管理として、制御機能の追加、変更に伴い、新たな制御状態が設定されたり、制御状態が変更されたりする場合、新規又は変更後の制御状態を示す情報と、その制御状態と既存の制御状態との関係を示す組込情報とを含む差分状態遷移情報を保持する。例えば、図５には、新規に設定された制御状態が「追従」状態であること、及びその新規の制御状態と既存の制御状態との関係（遷移許可条件、遷移先など）を示す組込情報が、差分状態遷移情報として保持されることが示されている。そして、マスタドメイン制御部１４は、状態遷移情報管理の一機能として、新規に設定された制御状態や、変更された制御状態を、組込情報を用いて、保有している状態遷移情報に組み込んで、両状態遷移情報を結合する機能も備えている。さらに、マスタドメイン制御部１４は、状態遷移情報管理の一機能として、上述した最小構成情報に対応する最小状態遷移情報も保持している。
【００７６】
マスタドメイン制御部１４は、配電情報管理として、配電開始条件、配電終了条件、配電量などからなる、追加、変更された構成に対する配電情報を保持する。例えば図５に示した例では、追従スイッチがオンされたとき、中央エリアに設けられたカメラに電源供給を行うとの配電開始条件を保持している。マスタドメイン制御部１４は、配電情報管理の一機能として、追加、変更された構成に対する配電情報を、保有している配電情報に組み込んで、両配電情報を結合する。この組込みにおいて、何らかの制約条件等がある場合には、マスタドメイン制御部１４は、その情報を、配電情報の組込情報として保持する。さらに、マスタドメイン制御部１４は、配電情報管理の一機能として、自身のドメインに割り当てられた電力量が必要電力量を下回る場合などに、ドメイン内の各制御部や車載機器の制御内容の見直しや、制御開始タイミングの遅延などにより、割り当てられた電力量の範囲内に収まるように使用電力の融通処理を行う。
【００７７】
マスタドメイン制御部１４は、通信情報管理として、追加、変更された構成にて使用される通信データやその通信データの送受信先の通信情報を保持する。また、マスタドメイン制御部１４は、安全情報管理として、追加、変更された構成を含めた場合の異常挙動推定のための判定値を安全情報として保持する。例えば、図５に示す例では、マスタドメイン制御部１４は、判定値として、追加、変更された構成に応じて補正された車両の加減速度の上下限を保持している。
【００７８】
なお、マスタドメイン制御部１４は、安全情報管理の一機能として、保持している判定情報を用いて、車両に異常な挙動が生じているかどうか、すなわち、車両用制御システム１００による制御に異常が発生しているかどうかを判定する機能を備える。さらに、マスタドメイン制御部１４は、安全情報管理の一機能として、例えば、制御機能の追加により処理負荷が増大した場合などに、ローカルドメイン制御部２４、３４との間で、制御機能の一部の引渡処理を実行する機能を備える。
【００７９】
ローカルドメイン制御部２４、３４も、マスタドメイン制御部１４と同様に、各自のエリアに関連する制御情報を保有する。ただし、制御情報が変更される場合、ローカルドメイン制御部２４、３４は、それぞれ独自に制御情報を更新するのではなく、図５に示すように、マスタドメイン制御部１４において更新された制御情報（構成情報、状態遷移情報、配電情報、通信情報、安全情報）の中から、自身のエリアに関連する更新された制御情報を取得する。しかしながら、各ローカルドメイン制御部２４、３４においても、上述したマスタドメイン制御部１４と同様に、それぞれ独自に制御情報を更新するようにしても良い。
【００８０】
次に、制御機能が追加及び／又は変更された後において、車両用制御システム１００における制御に異常が生じた場合に、車両用制御システム１００を正常動作可能な状態に復帰させるための処理手順について、図６〜９のフローチャートを参照して説明する。なお、図６のフローチャートは、Ｂ／ＵＥＣＵ４０にて実行される処理を示し、図７のフローチャートはマスタＥＣＵ１０において実行される処理を示している。また、図８のフローチャートは、マスタＥＣＵ１０の各ドメイン制御部１１〜１４において実行される、構成情報の初期化及び追加／変更構成情報との結合等の処理を示している。図９のフローチャートは、マスタＥＣＵ１０の各ドメイン制御部１１〜１４において実行される、状態遷移情報の初期化及び追加／変更構成情報との結合等の処理を示している。
【００８１】
なお、詳しくは後述するが、本実施形態では、各ドメインのドメイン制御部１１〜１４が、共通のマスタＥＣＵ１０に構築されており、車両用制御システム１００における制御に異常が生じた場合、いずれのドメインによる制御に起因したものかによらず、各マスタドメイン制御部１１〜１４の制御情報を、Ｂ／ＵＥＣＵ４０が保有する初期制御情報を用いて初期化するようにしている。
【００８２】
しかしながら、制御に異常が生じた場合に、ドメイン制御部１１〜１４ごとに異なる種類の判定値を用いて、その異常な制御を行ったドメイン制御部１１〜１４を特定し、その特定したドメイン制御部１１〜１４だけを、制御情報の初期化対象とするようにしても良い。
【００８３】
図６のフローチャートのステップＳ２００では、車両の実際の加減速度を検出する。例えば、Ｂ／ＵＥＣＵ４０は、監視ドメイン制御部１４と通信を行うことで、車両の実際の加減速度を示す情報を取得することができる。続くステップＳ２１０では、安全情報として保持している、車両加減速度の上下限を読み出す。そして、ステップＳ２２０において、実際の加減速度と、判定値としての加減速度の上下限を対比して、実際の加減速度が上下限の範囲に収まっているかどうかを判定する。この判定値としての加減速度の上下限は、パワートレインドメイン制御部１２、２２、３２がエンジンやモータジェネレータを制御したり、シャシドメイン制御部１１、２１、３１がブレーキを制御したりした場合に、正常に制御が行われた場合には、実際の加減速度が収まるような範囲を規定している。そのため、ステップＳ２２０において、実際の下限速度が上下限の範囲外と判定された場合には、車両用制御システム１００の制御に何らかの異常が生じていると判定することができる。
【００８４】
なお、車両用制御システム１００における制御の異常を判定するために、加減速度以外のパラメータ、例えば、各ドメイン制御部からの制御出力や、その変化の大きさ、制御出力の出力時期などに基づいて、車両用制御システム１００における制御の異常を判定しても良い。
【００８５】
ステップＳ２２０において、実際の加減速度が、判定値としての上下限の範囲に収まっていると判定した場合には、図６のフローチャートに示す処理を終了する。一方、実際の加減速度が、上下限の範囲外と判定した場合には、ステップＳ２３０の処理に進む。ステップＳ２３０では、Ｂ／ＵＥＣＵ４０は、マスタＥＣＵ１０へ制御停止の指示を出す。そして、ステップＳ２４０において、Ｂ／ＵＥＣＵ４０は、自身が保有する初期制御情報に基づいて、マスタＥＣＵ１０に代わって、フロントエリアＥＣＵ２０及びリヤエリアＥＣＵ３０の各ローカルドメイン制御部２１〜２４、３１〜３４へ制御目標を与える代理制御を実行する。
【００８６】
この代理制御の開始時に、Ｂ／ＵＥＣＵ４０は、図示しない不揮発性の故障情報記憶部に、異常発生時に実行されていた制御に関する情報、及び異常発生時の車両運転状況を記憶して保持するようにしても良い。このような情報を記憶保持しておくことにより、後に、いずれのドメイン制御部にどのような故障が発生して、車両用制御システム１００における制御に異常が生じたかの原因究明に資することができる。
【００８７】
ステップＳ２５０では、車両が停止したか否かを判定する。この判定処理において、まだ車両が停止していないと判定した場合、ステップＳ２４０の代理制御を継続する。一方、車両が停止したと判定すると、ステップＳ２６０の処理に進む。ステップＳ２６０では、Ｂ／ＵＥＣＵ４０は、マスタＥＣＵ１０へ制御情報の初期化を指示する。そして、ステップＳ２７０において、自身が保有する初期制御情報をマスタＥＣＵ１０へ送信する。
【００８８】
次に、図７のフローチャートが示す処理について説明する。この図７のフローチャートに示す処理はマスタＥＣＵ１０において実行されるものであるが、上述したように監視ドメイン制御部１４が行っても良いし、ドメイン制御部１１〜１４とは別個に安全制御部を設け、その安全制御部にて行うようにしても良い。
【００８９】
ステップＳ３００では、車両の実際の加減速度を検出する。続くステップＳ３１０では、判定値として保持している、追加、変更された構成に応じて補正された車両の加減速度の上下限を読み出す。そして、ステップＳ３２０において、実際の加減速度と、判定値としての加減速度の上下限を対比して、実際の加減速度が上下限の範囲に収まっているかどうかを判定する。
【００９０】
ステップＳ３２０において、実際の加減速度が、判定値としての上下限の範囲に収まっていると判定した場合には、図７のフローチャートに示す処理を終了する。一方、実際の加減速度が、上下限の範囲外と判定した場合には、ステップＳ３３０の処理に進む。ステップＳ３３０では、マスタＥＣＵ１０からＢ／ＵＥＣＵ４０へ代理制御の実行を依頼する。そして、ステップＳ３４０において、マスタＥＣＵ１０の制御を停止する。
【００９１】
ステップＳ３５０では、Ｂ／ＵＥＣＵ４０から、制御情報の初期化の指示を受信したか否かを判定する。初期化の指示を受信したと判定すると、ステップＳ３６０の処理に進み、制御情報の初期化、及び追加／変更構成情報との結合等の処理を実行する。この初期化、結合処理について、図８及び図９のフローチャートに基づいて説明する。
【００９２】
図８のフローチャートは、マスタＥＣＵ１０の各マスタドメイン制御部１１〜１４において実施される、制御情報の初期化、結合処理の内、構成情報に関する処理を示している。このように、各マスタドメイン制御部１１〜１４は、制御情報に含まれる構成情報、状態遷移情報、配電情報、通信情報、安全情報ごとに、初期化、結合処理を実行する。
【００９３】
図８のフローチャートにおいては、まずステップＳ４００にて、保持している追加及び／又は変更された構成情報を読み出す。続くステップＳ４１０において、Ｂ／ＵＥＣＵ４０から送信される初期制御情報の内、初期構成情報を取得する。そして、ステップＳ４２０では、Ｂ／ＵＥＣＵ４０との通信が正常に行われて、初期構成情報を取得できたか否かを判定する。初期構成情報を取得できたと判定した場合には、ステップＳ４３０の処理に進む。一方、Ｂ／ＵＥＣＵ４０との通信を行うことができず、初期構成情報を取得できない場合、ステップＳ４２０での判定結果が「ＮＯ」となり、ステップＳ４４０の処理に進む。
【００９４】
ステップＳ４３０では、Ｂ／ＵＥＣＵ４０から取得した初期構成情報に対して、ステップＳ４００にて読み出した、追加及び／又は変更された構成情報を組み込んで、両構成情報を結合する。一方、ステップＳ４４０では、初期構成情報が得られないので、ドメイン制御部１１〜１４自身が保有する最小構成情報に対し、追加及び／又は変更された構成情報を組み込んで両構成情報を結合し、制御情報の更新を行う。ただし、この場合、初期制御情報よりも情報量を削った最小構成情報を用いているので、リンプホームモードでの退避走行のみ可能とする。
【００９５】
そして、ステップＳ４５０において、各マスタドメイン制御部１１〜１４は、更新した構成情報に基づく、各エリアに関連する構成情報を、各エリアのローカルドメイン制御部２１〜２４、３１〜３４へ送信する。
【００９６】
図９のフローチャートは、マスタＥＣＵ１０の各マスタドメイン制御部１１〜１４において実施される、制御情報の初期化、結合処理の内、状態遷移情報に関する処理を示している。図９に示されるように、状態遷移情報も、上述した構成情報の場合と同様に更新されるので、詳細な説明は省略する。
【００９７】
図１０は、状態遷移情報の更新により、制御状態が追加された一例を概念的に示している。図１０（ａ）は、初期の制御状態遷移を示している。初期状態における車両用制御システム１００は、先行車への追従機能を備えていない。従って、車速や運転者の運転操作によって、制御状態が遷移するだけである。図１０（ｂ）は、制御機能の追加により、追従機能が追加された場合の制御状態遷移を示している。先行車への追従機能は、車両の状態によらず、いつでの開始できるようになっているため、図１０（ｂ）では、初期の制御状態を通常状態とし、追従が指示されると通常状態から追従状態への遷移するようになっている。
【００９８】
上述した構成情報や状態遷移情報を含む制御情報の結合処理において、追加及び／又は変更されたすべての制御機能の制御情報を結合するのではなく、結合後に、再び異常が生じないように、結合する制御情報を選択したり、結合する順序を変更したりしても良い。
【００９９】
具体的には、例えば、追加及び／又は変更された制御機能の実行時に、車両用制御システム１００における制御に異常が生じた場合、マスタドメイン制御部１１〜１４は、異常発生の原因となった追加及び／又は変更された制御機能を除く、制御機能に関する制御情報だけを結合するようにしても良い。これにより、再び異常が発生しないように、制御情報の更新を行うことが期待できる。
【０１００】
または、マスタドメイン制御部１１〜１４は、制御情報の更新情報を履歴として保存しており、初期制御情報に対して、追加及び／又は変更された制御機能の制御情報を結合して更新する際には、保存された更新情報に基づいて、更新量の少ない順に制御情報の更新を実行するようにしても良い。更新量が少ないほど、その更新処理に不具合が発生する可能性が小さくなるためである。
【０１０１】
あるいは、マスタドメイン制御部１１〜１４は、初期制御情報に対して、追加及び／又は変更された制御機能の制御情報を結合して更新する際には、保存された更新情報の履歴に基づき、当該履歴における順序とは異なる順序で、制御情報の更新を実行するようにしても良い。更新順序を変更することで、不具合の発生を回避できる場合もあるためである。
【０１０２】
もしくは、マスタドメイン制御部１１〜１４は、初期制御情報に対して、追加及び／又は変更された制御機能の制御情報を結合して更新する際には、保存された更新情報の履歴に基づき、当該履歴における最後に更新された制御機能を除く、制御機能に関する制御情報だけを結合して、制御情報の更新を行うようにしても良い。時期的に異なるタイミングで複数の制御機能に関する制御情報が結合された場合、最後に結合された制御情報が、異常の原因となっている可能性が高いためである。
【０１０３】
このように、本実施形態による車両用制御システム１００は、制御になんらかの異常が生じた場合に、Ｂ／ＵＥＣＵ４０に保存された初期制御情報を用いて、マスタドメイン制御部１１〜１４における制御情報を初期化することができる。すなわち、マスタドメイン制御部１１〜１４による制御情報を、初期状態での車両用制御システム１００に対応した制御情報に確実に戻すことができる。そして、この状態から、例えば、異常発生の原因となった可能性が高い、追加及び又は変更された制御機能を除く制御機能に関する制御情報を更新することも可能となる。従って、車両用制御システム１００を正常動作可能な状態に確実に復帰させることができる。
【０１０４】
次に、マスタＥＣＵ１０、エリアＥＣＵ２０，３０、及びＢ／ＵＥＣＵ４０の起動時の処理において異常が生じた場合、どのような安全処理を実施するかに関して図１１及び図１２のフローチャートを参照して説明する。車両のキースイッチがオンされると、マスタＥＣＵ１０、エリアＥＣＵ２０，３０、及びＢ／ＵＥＣＵ４０がそれぞれ起動される。この起動処理において何らかの異常が発生し、１つ異常のＥＣＵが正常に起動しない場合、通常通りの制御を行うことはできない。そのような場合でも、極力安全に制御を開始できるように、本実施形態による車両用制御システム１００では、図１１及び図１２のフローチャートに示す処理を実行する。なお、図１１及び図１２のフローチャートに示す処理は、各ＥＣＵ１０、２０、３０、４０を除き、最初に起動される図示しない電源ＥＣＵによって実行される。
【０１０５】
まず、図１１のフローチャートのステップＳ６００では、Ｂ／ＵＥＣＵ４０の起動処理を実行する。本実施形態による車両用制御システム１００では、いずれかのＥＣＵ１０、２０、３０、４０が正常に起動しなかった場合に、適切な対処を行うことができるように、各ＥＣＵ１０、２０、３０、４０を同時に起動するのではなく、Ｂ／ＵＥＣＵ４０、マスタＥＣＵ１０、エリアＥＣＵ２０、３０の順で、順番に起動するようにしている。
【０１０６】
ステップＳ６１０では、Ｂ／ＵＥＣＵ４０の起動処理を開始してから、Ｂ／ＵＥＣＵ４０の起動が完了することなく、第１所定時間が経過したか否かを判定する。Ｂ／ＵＥＣＵ４０の起動処理が正常に行われた場合、Ｂ／ＵＥＣＵ４０は第１所定時間以内に起動を完了する。換言すれば、第１所定時間が経過してもＢ／ＵＥＣＵ４０の起動が完了しない場合、Ｂ／ＵＥＣＵ４０の起動処理には何らかの異常が発生したとみなすことができる。従って、ステップＳ６１０の判定処理において、第１所定時間が経過していると判定した場合には、ステップＳ６３０の処理に進んで、Ｂ／ＵＥＣＵ４０の異常を判定する。その後、ステップＳ６４０の処理に進む。
【０１０７】
ステップＳ６１０において、第１所定時間が経過していないと判定した場合には、ステップＳ６２０の処理に進む。ステップＳ６２０では、Ｂ／ＵＥＣＵ４０の起動が完了したか否かを判定する。この判定処理において、まだ起動が完了していないと判定すると、ステップＳ６００の処理に戻り、Ｂ／ＵＥＣＵ４０の起動処理を継続させる。一方、Ｂ／ＵＥＣＵ４０の起動が完了したと判定すると、ステップＳ６４０の処理に進む。
【０１０８】
ステップＳ６４０では、マスタＥＣＵ１０の起動処理を実行する。続くステップＳ６５０では、マスタＥＣＵ１０の起動処理を開始してから、マスタＥＣＵ１０の起動が完了することなく、第２所定時間が経過したか否かを判定する。マスタＥＣＵ１０の起動処理が正常に行われた場合、マスタＥＣＵ１０は第２所定時間以内に起動を完了する。従って、第２所定時間が経過してもマスタＥＣＵ１０の起動が完了しない場合、マスタＥＣＵ１０の起動処理には何らかの異常が発生したとみなすことができる。従って、ステップＳ６５０の判定処理において、第２所定時間が経過していると判定した場合には、ステップＳ６７０の処理に進んで、マスタＥＣＵ１０の異常を判定する。その後、ステップＳ６８０の処理に進む。
【０１０９】
ステップＳ６５０において、第２所定時間が経過していないと判定した場合には、ステップＳ６６０の処理に進む。ステップＳ６６０では、マスタＥＣＵ１０の起動が完了したか否かを判定する。この判定処理において、まだ起動が完了していないと判定すると、ステップＳ６４０の処理に戻り、マスタＥＣＵ１０の起動処理を継続させる。一方、マスタＥＣＵ１０の起動が完了したと判定すると、ステップＳ６８０の処理に進む。
【０１１０】
ステップＳ６８０では、エリアＥＣＵ２０、３０の起動処理を実行する。続くステップＳ６９０では、エリアＥＣＵ２０、３０の起動処理を開始してから、エリアＥＣＵ２０、３０の起動が完了することなく、第３所定時間が経過したか否かを判定する。エリアＥＣＵ２０、３０の起動処理が正常に行われた場合、エリアＥＣＵ２０、３０は第３所定時間以内に起動を完了する。従って、第３所定時間が経過してもエリアＥＣＵ２０、３０の起動が完了しない場合、エリアＥＣＵ２０、３０の起動処理には何らかの異常が発生したとみなすことができる。従って、ステップＳ６９０の判定処理において、第３所定時間が経過していると判定した場合には、ステップＳ７１０の処理に進んで、起動しないエリアＥＣＵ２０、３０の異常を判定する。その後、ステップＳ７２０の処理に進む。
【０１１１】
ステップＳ６９０において、第３所定時間が経過していないと判定した場合には、ステップＳ７００の処理に進む。ステップＳ７００では、エリアＥＣＵ２０、３０の起動が完了したか否かを判定する。この判定処理において、まだ起動が完了していないと判定すると、ステップＳ６８０の処理に戻り、エリアＥＣＵ２０、３０の起動処理を継続させる。一方、エリアＥＣＵ２０、３０の起動が完了したと判定すると、ステップＳ７２０の処理に進む。
【０１１２】
ステップＳ７２０では、全てのＥＣＵ１０、２０、３０、４０が正常に起動したか否かを判定する。この判定処理において、全てのＥＣＵ１０、２０、３０、４０が正常に起動したと判定した場合、ステップＳ７３０に進んで、各ＥＣＵ１０、２０、３０、４０に通常制御の実行を許可するとともに、マスタＥＣＵ１０のマスタドメイン制御部１１〜１４とエリアＥＣＵ２０、３０のローカルドメイン制御部２１〜２４、３１〜３４との間で、必要に応じて、制御機能の一部の引渡し処理を許可する。一方、ステップＳ７２０において、すべてのＥＣＵ１０、２０、３０、４０が正常に起動しなかったと判定した場合には、ステップＳ７４０に進んで、異常時処理を実行する。
【０１１３】
図１２のフローチャートは、ステップＳ７４０の異常時処理の詳細を示している。この異常時処理においては、まずステップＳ８００において、異常が発生したＥＣＵは１台であるか、２台以上であるかを判定する。２台以上と判定した場合、ステップＳ８１０に進む。ただし、この場合、制御を行うことは困難であるため、制御不能と判断し、制御を実施しない。一方、異常が発生したＥＣＵが１台であると判定した場合、ステップＳ８２０に進んで、異常が発生したＥＣＵの種別を判定する。
【０１１４】
ステップＳ８２０において、異常が発生したＥＣＵがエリアＥＣＵ２０、３０であると判定した場合には、ステップＳ８３０の処理に進んで、他のエリアＥＣＵを用いた補完制御を実行するよう設定する。例えば、フロントエリアＥＣＵ２０に異常が発生した場合、前輪ブレーキアクチュエータによって前輪に制動力を発生すべき状況が生じたとき、その前輪制動力の分も加味して、後輪側ブレーキアクチュエータによって制動力を発生させるよう補完制御を行う。
【０１１５】
異常が発生したＥＣＵがマスタＥＣＵ１０である場合、ステップＳ８４０の処理に進んで、Ｂ／ＵＥＣＵ４０が、マスタＥＣＵ１０に代わって、フロントエリアＥＣＵ２０及びリヤエリアＥＣＵ３０の各ローカルドメイン制御部２１〜２４、３１〜３４へ制御目標を与える代理制御を実行するよう設定する。異常が発生したＥＣＵがＢ／ＵＥＣＵ４０である場合、ステップＳ８５０の処理に進んで、車両用制御システム１００の制御に異常が生じて、制御情報の初期化などの処理が必要になった場合、マスタＥＣＵ１０の各マスタドメイン制御部１１〜１４が保有する最小構成情報等を利用することを設定する。
【０１１６】
次に、図１３を参照して、マスタドメイン制御部１１〜１４とローカルドメイン制御部２１〜２４、３１〜３４との間で、必要に応じて行われる、制御機能の一部の引渡し処理について説明する。例えばマスタドメイン制御部１１〜１４に制御機能が追加されて、処理負荷が増大した場合などに、マスタドメイン制御部１１〜１４は、ローカルドメイン制御部２１〜２４、３１〜３４に、制御機能の一部を引き渡す引渡処理を実行する。なお、制御機能の一部の引渡しは、ローカルドメイン制御部２１〜２４、３１〜３４からマスタドメイン制御部１１〜１４へ行っても良い。
【０１１７】
マスタドメイン制御部１１〜１４から、ローカルドメイン制御部２１〜２４、３１〜３４に、制御機能の一部を引き渡す場合、図１３に示すように、まず、ステップＳ９００において、マスタＥＣＵ１０のマスタドメイン制御部１１〜１４が、該当するエリアＥＣＵ２０、３０のローカルドメイン制御部２１〜２４、３１〜３４及びＢ／ＵＥＣＵ４０に、制御機能の一部の引渡し処理の開始を通知する。この通知を受けて、該当するローカルドメイン制御部２１〜２４、３１〜３４では、ステップＳ９１０に示すように、制御機能の一部をレシーブするための準備を行うとともに、準備が完了したときに準備完了通知を出力する。この準備完了通知をトリガとして、マスタドメイン制御部１１〜１４は、ステップＳ９２０において、制御機能の一部のリリース処理を開始する。この制御機能の一部のリリース処理では、リリースする制御処理の種類、制御処理の内容、制御開始条件、制御終了条件等の情報をローカルドメイン制御部２１〜２４、３１〜３４に出力する。さらに、マスタドメイン制御部１１〜１４では、リリースした制御処理の実行の停止を設定する。
【０１１８】
一方、ローカルドメイン制御部２１〜２４、３１〜３４では、ステップＳ９３０において、制御機能の一部のレシーブ処理を開始する。このレシーブ処理では、マスタドメイン制御部１１〜１４から出力された情報を受信するとともに、その情報に含まれる制御処理を、制御開始条件が成立した時に実行するように設定する。
【０１１９】
なお、マスタドメイン制御部１１〜１４とローカルドメイン制御部２１〜２４、３１〜３４との間で引渡し対象とする制御機能を事前に決めておき、それら制御機能を実行するためのデータを両者が備えるように構成しておけば、リリース処理及びレシーブ処理として、単に引き渡す制御機能を示す情報の送受信だけで済ませることができる。
【０１２０】
マスタドメイン制御部１１〜１４におけるリリース処理、及びローカルドメイン制御部２１〜２４、３１〜３４におけるレシーブ処理は、ステップＳ９４０において、Ｂ／ＵＥＣＵ４０において監視される。Ｂ／ＵＥＣＵ４０は、リリース処理及びレシーブ処理の監視において、なんら異常を発見せず、正常に引渡しがおこなわれたと判定した場合、ステップＳ９５０において、マスタドメイン制御部１１〜１４及びローカルドメイン制御部２１〜２４、３１〜３４へ引渡し完了通知を出力する。この引渡し完了通知を受けて、マスタドメイン制御部１１〜１４では、ステップＳ９６０において、引渡しが完了したことを確認する。また、ローカルドメイン制御部２１〜２４、３１〜３４では、ステップＳ９７０において、引き渡された処理が開始可能となるように設定する。
【０１２１】
一方、Ｂ／ＵＥＣＵ４０、制御機能の一部の引渡し処理において、何らかの異常を検出した場合、ステップＳ９８０において、制御機能の分担の初期化を指示する。この初期化指示を受けて、マスタドメイン制御部１１〜１４及びローカルドメイン制御部２１〜２４、３１〜３４では、制御機能の分担を初期化するための処理が行われる（ステップＳ９９０及びＳ１０００）。なお、制御機能の分担の初期化に関しても、Ｂ／ＵＥＣＵ４０が保有する初期制御情報を参照することによって実行することが可能となっている。
【０１２２】
以上、本発明の好ましい実施形態について説明したが、本発明は、上述した実施形態になんら制限されることなく、本発明の主旨を逸脱しない範囲において、種々変形して実施することが可能なものである。
【０１２３】
例えば、上述した実施形態では、Ｂ／ＵＥＣＵ４０において、車両用制御システム１００による制御に異常が発生したことを判定して、各マスタドメイン制御部１１〜１４に制御情報の初期化を指示するように構成された。すなわち、各マスタドメイン制御部１１〜１４が保持する制御情報を初期化するための処理をＢ／ＵＥＣＵ４０にて行うものであった。しかし、マスタＥＣＵ１０やエリアＥＣＵ２０、３０が、車両用制御システム１００の異常の判定と、異常が判定されたときの初期制御情報の提供依頼を行い、Ｂ／ＵＥＣＵ４０は、原則として、依頼に応じて初期制御情報を提供する機能だけを備えるものであっても良い。このように構成することにより、Ｂ／ＵＥＣＵ４０が保持する初期制御情報が意図せず改変等されてしまう可能性を低減することができる。
【０１２４】
また、上述した実施形態では、ドメイン制御部が、マスタドメイン制御部１１〜１４とローカルドメイン制御部２１〜２４、３１〜３４から構成される例について説明した。しかしながら、上述した実施形態のようにエリア分けを実施せず、制御論理構造として、各ドメインのドメイン制御部にそれぞれの機器制御部が配置されても良い。
【０１２５】
さらに、上述した実施形態では、いずれかのローカルドメイン制御部が、マスタドメイン制御部としての機能を兼ね備える例について説明した。しかしながら、マスタドメイン制御部は、各エリアに設けられるローカルドメイン制御部とは別個に設けても良い。
【符号の説明】
【０１２６】
１０  マスタＥＣＵ、１１  マスタシャシドメイン制御部、１２  マスタパワートレインドメイン制御部、１３  マスタボデードメイン制御部、１４  マスタ監視ドメイン制御部、２０  フロントエリアＥＣＵ、２１  ローカルシャシドメイン制御部、２２  ローカルパワートレインドメイン制御部、２３  ローカルボデードメイン制御部、２４  ローカル監視ドメイン制御部、３０  リヤトエリアＥＣＵ、３１  ローカルシャシドメイン制御部、３２  ローカルパワートレインドメイン制御部、３３  ローカルボデードメイン制御部、３４  ローカル監視ドメイン制御部、４０  バックアップＥＣＵ
【図１】
2018020609.tif 000003
【図２】
2018020609.tif 000004
【図３】
2018020609.tif 000005
【図４】
2018020609.tif 000006
【図５】
2018020609.tif 000007
【図６】
2018020609.tif 000008
【図７】
2018020609.tif 000009
【図８】
2018020609.tif 000010
【図９】
2018020609.tif 000011
【図１０】
2018020609.tif 000012
【図１１】
2018020609.tif 000013
【図１２】
2018020609.tif 000014
【図１３】
2018020609.tif 000015